(57)【要約】【課題】特殊画像を含む画像に、特殊画像の画像形成情報を付加することによって、画像形成情報に基づいて、特殊画像の点検及び保守を適確に、かつ、容易に行うことができるようにする。【解決手段】少なくとも一部に特殊画像を含む画像を媒体に印刷可能な印刷部１３と、前記特殊画像の印刷日時を含む画像形成情報を作成し、前記印刷部１３を制御して、前記画像形成情報を前記特殊画像を含む画像とともに媒体に印刷させる制御部１１と、前記媒体に印刷された前記画像形成情報を読み取り可能な読取部と、該読取部が読み取った画像形成情報に基づいて、前記特殊画像が有効であるか否かを判定する有効性判定部とを備える。【選択図】図１
2017134215.tif 000002
【特許請求の範囲】
【請求項１】
（ａ）少なくとも一部に特殊画像を含む画像を媒体に印刷可能な印刷部と、
（ｂ）前記特殊画像の印刷日時を含む画像形成情報を作成し、前記印刷部を制御して、前記画像形成情報を前記特殊画像を含む画像とともに媒体に印刷させる制御部と、
（ｃ）前記媒体に印刷された前記画像形成情報を読み取り可能な読取部と、
（ｄ）該読取部が読み取った画像形成情報に基づいて、前記特殊画像が有効であるか否かを判定する有効性判定部とを備えることを特徴とする画像処理装置。
【請求項２】
前記特殊画像は、紫外線を照射することによって蛍光を発光する特殊色材を使用して印刷される請求項１に記載の画像処理装置。
【請求項３】
前記有効性判定部は、前記特殊色材の劣化の度合いに応じて前記特殊画像が有効であるか否かを判定する請求項２に記載の画像処理装置。
【請求項４】
前記有効性判定部は、前記特殊画像が有効であると判定した場合、該特殊画像が有効でなくなるまでの残り有効期間を算出する請求項３に記載の画像処理装置。
【請求項５】
前記画像形成情報は、特殊画像品質判別マークを含む請求項２に記載の画像処理装置。
【請求項６】
前記印刷部は、前記特殊画像品質判別マークの劣化の進行度合いを判別するための特殊色材濃度変化指標を他の媒体に印刷可能である請求項４に記載の画像処理装置。
【請求項７】
前記有効性判定部が前記特殊画像が有効でないと判定した場合、前記印刷部は前記特殊画像の再印刷を行う請求項１〜５のいずれか１項に記載の画像処理装置。
【請求項８】
（ａ）媒体に印刷される画像に含まれる特殊画像の印刷日時を含む画像形成情報を作成する工程と、
（ｂ）前記画像形成情報を前記特殊画像を含む画像とともに媒体に印刷する工程と、
（ｃ）前記媒体に印刷された前記画像形成情報を読み取る工程と、
（ｄ）読み取った画像形成情報に基づいて、前記特殊画像が有効であるか否かを判定する工程とを備えることを特徴とする画像処理方法。
【請求項９】
前記特殊画像は、紫外線を照射することによって蛍光を発光する特殊色材を使用して印刷される請求項８に記載の画像処理方法。
【請求項１０】
前記特殊色材の劣化の度合いに応じて前記特殊画像が有効であるか否かを判定する請求項９に記載の画像処理方法。
【請求項１１】
前記特殊画像が有効であると判定した場合、該特殊画像が有効でなくなるまでの残り有効期間を算出する請求項１０に記載の画像処理方法。
【請求項１２】
前記画像形成情報は、特殊画像品質判別マークを含む請求項９に記載の画像処理方法。
【請求項１３】
前記特殊画像品質判別マークの劣化の進行度合いを判別するための特殊色材濃度変化指標を他の媒体に印刷する工程を更に備える請求項１１に記載の画像処理方法。
【請求項１４】
前記特殊画像が有効でないと判定した場合に前記特殊画像の再印刷を行う工程を更に備える請求項８〜１３のいずれか１項に記載の画像処理方法。
【発明の詳細な説明】
【技術分野】
【０００１】
本発明は、画像処理装置及び画像処理方法に関するものである。
【背景技術】
【０００２】
従来、電子写真方式のプリンタ等の画像処理装置においては、紫外線の照射によって蛍光を発するＵＶトナー（蛍光トナー）等の特殊トナーを使用して、パスポート等の証明書類のような個人認証用乃至セキュリティー認証用に使用される認証用印刷物を作成する方法が提案されている（例えば、特許文献１参照。）。
【０００３】
この場合、認証用印刷物の印刷画像の全部又は一部をＵＶトナーを使用して形成することによって、認証用画像を作成する。そして、例えば、空港の入出国カウンタや建物の入口ゲートにおいて認証が必要とされる際には、前記認証用印刷物に紫外線を照射して前記認証用画像を読み出し、認証が行われる。なお、前記認証用画像は、一般的に、紫外線を照射しない限り、目視不能となっている。
【先行技術文献】
【特許文献】
【０００４】
【特許文献１】特開２００７−０１７７１８号公報
【発明の概要】
【発明が解決しようとする課題】
【０００５】
しかしながら、従来の画像処理装置において、認証用画像は、感光によるＵＶトナー等の特殊トナーの劣化が生じ、例えば、紫外線の照射に対する蛍光の発光量（光の強さ、明るさ）が低下してしまう。つまり、特殊トナーを使用して形成された特殊画像が劣化してしまう。特殊トナーの劣化速度は、一般的に、通常のトナー（ブラック、イエロー、マゼンタ、シアン等のトナー）の劣化速度よりも速いので、通常のトナーを使用して形成された通常画像を見ても、特殊画像の劣化を判断することができない。
【０００６】
また、認証用画像に紫外線を照射することによって特殊画像の劣化の程度を判断することができたとしても、現時点での劣化が印刷直後の初期状態からどの程度進行したものであるのかを判断することはできない。さらに、現時点からどの程度期間が経過すると、認証に使用することができず、交換又は再印刷が必要な程度にまで劣化するのか、つまり、特殊画像の残寿命を判断することはできない。
【０００７】
本発明は、前記従来の問題点を解決して、特殊画像を含む画像に、特殊画像の画像形成情報を付加することによって、画像形成情報に基づいて、特殊画像の点検及び保守を適確に、かつ、容易に行うことができる画像処理装置及び画像処理方法を提供することを目的とする。
【課題を解決するための手段】
【０００８】
そのために、本発明の画像処理装置においては、少なくとも一部に特殊画像を含む画像を媒体に印刷可能な印刷部と、前記特殊画像の印刷日時を含む画像形成情報を作成し、前記印刷部を制御して、前記画像形成情報を前記特殊画像を含む画像とともに媒体に印刷させる制御部と、前記媒体に印刷された前記画像形成情報を読み取り可能な読取部と、該読取部が読み取った画像形成情報に基づいて、前記特殊画像が有効であるか否かを判定する有効性判定部とを備える。
【０００９】
また、本発明の画像処理方法においては、媒体に印刷される画像に含まれる特殊画像の印刷日時を含む画像形成情報を作成する工程と、前記画像形成情報を前記特殊画像を含む画像とともに媒体に印刷する工程と、前記媒体に印刷された前記画像形成情報を読み取る工程と、読み取った画像形成情報に基づいて、前記特殊画像が有効であるか否かを判定する工程とを備える。
【発明の効果】
【００１０】
本発明によれば、画像処理装置及び画像処理方法においては、特殊画像を含む画像に、特殊画像の画像形成情報を付加する。これにより、画像形成情報に基づいて、特殊画像の点検及び保守を適確に、かつ、容易に行うことができる。
【図面の簡単な説明】
【００１１】
【図１】本発明の第１の実施の形態における画像形成装置の機能構成を示すブロック図である。
【図２】本発明の第１の実施の形態における測定装置の機能構成を示すブロック図である。
【図３】本発明の第１の実施の形態における画像処理装置の動作のアウトラインを示すフローチャートである。
【図４】本発明の第１の実施の形態における画像形成装置が形成する画像の例を示す図である。
【図５】本発明の第１の実施の形態における画像処理装置の動作を示す第１のフローチャートである。
【図６】本発明の第１の実施の形態における確認用パッチの例を示す図である。
【図７】本発明の第１の実施の形態におけるＵＶトナー画像を含む画像が印刷された媒体の例を示す図である。
【図８】本発明の第１の実施の形態における有効／無効を判定する基準のデータテーブルの例を示す図である。
【図９】本発明の第１の実施の形態における画像処理装置の動作を示す第２のフローチャートである。
【図１０】本発明の第２の実施の形態における画像形成装置の構成を示す模式側断面図である。
【図１１】本発明の第２の実施の形態における画像形成装置の機能構成を示すブロック図である。
【図１２】本発明の第２の実施の形態における画像処理装置が特殊画像を少なくとも一部に含む画像を印刷する動作を示すフローチャートである。
【図１３】本発明の第２の実施の形態における画像処理装置が特殊印刷の再印刷を行う動作を示すフローチャートである。
【発明を実施するための形態】
【００１２】
以下、本発明の実施の形態について図面を参照しながら詳細に説明する。
【００１３】
図１は本発明の第１の実施の形態における画像形成装置の機能構成を示すブロック図である。
【００１４】
図において、１０は本実施の形態における画像処理装置の一部としての画像形成装置である。該画像形成装置１０は、記録用紙等の媒体上に色材による画像を形成して印刷を行う装置であり、例えば、プリンタであるが、媒体上に色材による画像を形成するための画像形成を実行する装置であれば、いかなる種類の装置であってもよく、複写機、ファクシミリ機等であってもよいし、プリンタ、ファクシミリ機、複写機等の機能を併せ持つ複合機（ＭＦＰ）であってもよい。
【００１５】
ここで、前記画像形成装置１０は、機能部として、制御部１１と、記憶部１２と、印刷部１３と、データ通信部１４と、入力部１５と、出力部１６とを有する。
【００１６】
前記制御部１１は、演算処理部としてのＣＰＵ等を含み、記憶部１２に格納された各種プログラムやデータに基づいて、画像形成装置１０の各部の動作を制御する。
【００１７】
前記記憶部１２は、例えば、ＲＡＭ、ＲＯＭ等のメモリやＨＤＤ等の磁気ディスクから成り、制御部１１が使用するプログラム、印刷部１３が印刷する印刷データ、画像データ等の各種情報を格納する。
【００１８】
前記印刷部１３は、媒体上に色材による画像を形成することができる装置であれば、インパクト・ドット式印刷装置、インクジェット式印刷装置、熱転写式印刷装置等いかなる種類の装置であってもよいが、ここでは、説明の都合上、電子写真式印刷装置であるものとして説明する。なお、前記印刷部１３は、通常の色材であるブラック、イエロー、マゼンタ、シアン等の各色のトナーを使用した通常画像の形成、すなわち、通常印刷を行うとともに、特殊色材としての特殊トナーを使用した特殊画像の形成、すなわち、特殊印刷も行うことができるものである。ここでは、前記特殊トナーが、紫外線の照射によって蛍光を発するＵＶトナー（蛍光トナー）である場合について説明する。その場合、前記特殊画像をＵＶトナー画像と称し、前記特殊印刷をＵＶトナー印刷と称する。また、前記媒体は、例えば、Ａ４サイズ等の所定のサイズにカットされた印刷用紙、帯状の連続紙、預金通帳やパスポートのような冊子等であるが、色材による画像を形成する、すなわち、印刷することができるものであれば、いかなる種類の媒体であってもよい。
【００１９】
前記データ通信部１４は、電話回線、ＬＡＮ、イントラネット、インターネット等の図示されない通信回線網を介して、パーソナルコンピュータ、サーバ等の図示されない上位装置に接続されており、該上位装置から、印刷データ、画像データ等の入力データを受信する。
【００２０】
前記入力部１５は、テンキー等の各種スイッチやボタン、液晶タッチパネル等を含む操作パネル等を備え、ユーザが、画像形成に関する各種操作を入力する部分である。
【００２１】
前記出力部１６は、液晶表示パネル等の表示装置を備え、ユーザに対して、各種の情報を表示する。
【００２２】
そして、前記画像形成装置１０は、少なくとも一部に特殊画像を含む画像を媒体に印刷する場合には、前記特殊画像についての画像形成情報を付加する、すなわち、媒体に特殊画像についての画像形成情報をも印刷する。該画像形成情報は、例えば、特殊色材の種類、特殊印刷が行われた印刷日時、すなわち、印刷時間情報等の各種情報を含むものである。さらに、前記画像形成情報は、特殊色材としての特殊トナーを使用した特殊画像品質判別マークを含むものであることが望ましい。該特殊画像品質判別マークは、前記特殊画像を形成するための特殊トナーと同一の特殊トナーを使用して、前記特殊画像と同時に形成されるので、前記特殊画像品質判別マークの特殊トナーの劣化の進行度合いは、前記特殊画像の特殊トナーの劣化の進行度合いを表すものとなる。また、前記画像形成情報に含まれる印刷時間情報等の各種情報は、バーコード（ＪＡＮコード）、ＱＲコード（Ｒ）等の表示コードとして印刷されるが、アルファベット、漢字、数字等の文字として印刷されてもよいし、絵柄等の図形として印刷されてもよい。なお、前記特殊画像をＵＶトナー画像と称する場合には、前記特殊画像品質判別マークをＵＶ印刷マーカと称する。
【００２３】
さらに、前記画像形成装置１０は、必要に応じて、特殊色材濃度変化指標としての特殊トナー階調指標を確認用パッチとして媒体に印刷することもできる。前記確認用パッチは、特殊トナーの濃度を階調毎に、例えば、１００、８０、６０、４０及び２０〔％〕に変化させたマークを並べたものであって、ユーザは、目視によって前記特殊画像品質判別マークと比較することにより、該特殊画像品質判別マークの劣化の進行度合いを判別することができる。
【００２４】
なお、前記画像形成情報は、後述される測定装置２０によって読み取られる。
【００２５】
次に、該測定装置２０の構成について説明する。
【００２６】
図２は本発明の第１の実施の形態における測定装置の機能構成を示すブロック図である。
【００２７】
図に示される測定装置２０は、本実施の形態における画像処理装置の一部である。そして、前記測定装置２０は、画像形成装置１０と別個の装置であってもよいし、画像形成装置１０と一体化された装置であってもよい。すなわち、前記測定装置２０は、前記画像形成情報を読み取り可能な装置であれば、いかなる装置であってもよく、例えば、カメラ等の撮像手段を備えた携帯電話機、スマートフォン、タブレットコンピュータ等の携帯端末であってもよいし、カメラ等の撮像手段を備えたパーソナルコンピュータ、スキャナ装置等であってもよい。また、前記画像形成装置１０が複合機、複写機、ファクシミリ機等のように撮像手段を含むスキャナ装置を内蔵する装置である場合には、前記測定装置２０は画像形成装置１０の一部であってもよい。
【００２８】
ここで、前記測定装置２０は、機能部として、制御部２１と、記憶部２２と、読取部２３と、入力部２５と、出力部２６とを有する。
【００２９】
前記制御部２１は、演算処理部としてのＣＰＵ等を含み、記憶部２２に格納された各種プログラムやデータに基づいて、測定装置２０の各部の動作を制御する。
【００３０】
前記記憶部２２は、例えば、ＲＡＭ、ＲＯＭ等のメモリやＨＤＤ等の磁気ディスクから成り、制御部２１が使用するプログラム、読取部２３が読み取った特殊画像についての画像形成情報等の各種情報を格納する。
【００３１】
前記読取部２３は、撮像手段を備え、媒体に印刷された画像を読取る。
【００３２】
前記入力部２５は、テンキー等の各種スイッチやボタン、液晶タッチパネル等を含む操作パネル等を備え、ユーザが、特殊画像についての設定情報等の各種操作を入力する装置である。
【００３３】
前記出力部２６は、液晶表示パネル等の表示装置を備え、ユーザに対して、各種の情報を表示する。
【００３４】
なお、測定装置２０が画像形成装置１０の一部である場合には、前記制御部２１、記憶部２２、入力部２５及び出力部２６は、それぞれ、前記画像形成装置１０の制御部１１、記憶部１２、入力部１５及び出力部１６の一部である。
【００３５】
そして、前記測定装置２０は、読取部２３が読み取った媒体に印刷された画像の中に特殊画像についての画像形成情報が含まれている場合には、該画像形成情報を識別して解読し、該画像形成情報に含まれる特殊色材の種類、印刷時間情報等の各種情報を抽出し、抽出した情報から前記特殊画像の点検及び保守に必要な情報を導出して表示する。
【００３６】
このように、本実施の形態において、画像形成装置１０及び測定装置２０を含む画像処理装置は、少なくとも一部に特殊画像を含む画像を媒体に印刷可能な印刷部１３と、特殊画像の印刷日時を含む画像形成情報を作成し、印刷部１３を制御して、画像形成情報を特殊画像を含む画像とともに媒体に印刷させる制御部１１と、媒体に印刷された画像形成情報を読み取り可能な読取部２３と、読取部２３が読み取った画像形成情報に基づいて、特殊画像が有効であるか否かを判定する有効性判定部とを備える。なお、本実施の形態においては、測定装置２０の制御部２１が有効性判定部として機能する。これにより、特殊画像の点検及び保守を適確に、かつ、容易に行うことができる。
【００３７】
次に、前記構成の画像処理装置の動作について説明する。まず、少なくとも一部に特殊画像を含む画像に、該特殊画像についての画像形成情報を付加し、該画像形成情報に基づいて、前記特殊画像の状態を判定する画像処理装置の動作のアウトラインについて説明する。
【００３８】
図３は本発明の第１の実施の形態における画像処理装置の動作のアウトラインを示すフローチャートである。
【００３９】
まず、ステップＳ１で、画像形成装置１０は、ＵＶトナー印刷時に日時情報とＵＶ印刷マーカとを付加する。具体的には、画像形成装置１０は、少なくとも一部にＵＶトナー画像を含む画像を媒体に印刷する場合には、ＵＶトナー印刷が行われた印刷日時、すなわち、印刷時間情報と、特殊画像品質判別マークとしてのＵＶ印刷マーカとを含む画像形成情報も媒体に印刷する。
【００４０】
続いて、ステップＳ２で、測定装置２０は、日時情報とＵＶ印刷マーカとを読み取り、日時情報とＵＶ印刷マーカの劣化度合いとを判断する。具体的には、測定装置２０は、ステップＳ１で画像形成装置１０によって媒体に印刷された画像を読み取り、該画像に含まれる画像形成情報を識別して解読する。そして、測定装置２０が画像形成情報に含まれる印刷時間情報からＵＶトナー印刷が行われた印刷日時を読み出すと、前記測定装置２０を操作するユーザは、印刷日時に基づいて、画像形成情報に含まれるＵＶ印刷マーカに使用されたＵＶトナーの劣化度合いを判断する。
【００４１】
最後に、ステップＳ３で、ユーザが印刷物の用途に応じて有効／無効を判定し、測定装置２０が残り有効時間を計算して通知すると、画像処理装置は処理を終了する。具体的には、ユーザは、ステップＳ２で判断した印刷日時及びＵＶトナーの劣化の進行度合いに基づき、媒体が有効であるか無効であるかを判断する。そして、有効である場合、測定装置２０は残存する有効期間の長さを計算してユーザに通知する。
【００４２】
なお、媒体が有効であるか無効であるかの判断及び残存する有効期間の長さの計算は、印刷物、すなわち、ＵＶトナー印刷が行われた媒体の用途乃至種類に応じて行われる。例えば、前記媒体がパスポート等の証明書類である場合、紫外線を照射した際にＵＶトナー画像が発する蛍光の発光量が所定値以上であれば、証明書類として有効であると判断されるが、前記発光量が所定値未満であれば、証明書類として無効であると判断され、再発行が必要となる。なお、前記所定値は証明書類の用途乃至種類に応じて異なる値に設定されている。残存する有効期間の長さについても同様である。
【００４３】
次に、フローチャートについて説明する。
ステップＳ１  画像形成装置１０は、ＵＶトナー印刷時に日時情報とＵＶ印刷マーカとを付加する。
ステップＳ２  測定装置２０は、日時情報とＵＶ印刷マーカとを読み取り、印刷日時とＵＶトナーの劣化度合いとを判断する。
ステップＳ３  ユーザが印刷物の用途に応じて有効／無効を判定し、測定装置２０が残り有効時間を計算して通知すると、画像処理装置は処理を終了する。
【００４４】
次に、ステップＳ１における画像処理装置の動作について詳細に説明する。
【００４５】
図４は本発明の第１の実施の形態における画像形成装置が形成する画像の例を示す図、図５は本発明の第１の実施の形態における画像処理装置の動作を示す第１のフローチャートである。なお、図４において、（ａ）は少なくとも一部に特殊画像を含む画像の例を示す図、（ｂ）は（ａ）に画像形成情報を付加した図である。
【００４６】
まず、ステップＳ１１で、画像形成装置１０に印刷データが入力される。具体的には、データ通信部１４に、上位装置から印刷データが入力される。該印刷データは、印刷を行う上で必要な情報、例えば、印刷する画像データ、印刷枚数、印刷する媒体のサイズ等の情報を含むデータである。前述のように、ここでは、少なくとも一部にＵＶトナー画像を含む画像を媒体に印刷するものとする。前記データ通信部１４は、印刷データを受け取ると、記憶部１２に格納するとともに、制御部１１に対して印刷データの入力を通知する。
【００４７】
続いて、ステップＳ１２で、画像形成装置１０は、印刷を開始する。具体的には、制御部１１は、印刷データの入力が通知されると、記憶部１２から印刷データを読み出し、印刷部１３に前記印刷データの情報に基づいた印刷を行わせる。前述のように、ここでは、印刷時間情報と、特殊画像品質判別マークとしてのＵＶ印刷マーカとを含む画像形成情報も媒体に印刷する。
【００４８】
続いて、ステップＳ１３で、画像形成装置１０は、印刷時間情報を作成する。具体的には、制御部１１は、印刷時間情報として、ＵＶトナー印刷を行う印刷日時を作成する。なお、前記印刷時間情報は、印刷実行時の時間情報を後から読み取り可能な形で印刷物に付加するために作成するものある。例えば、印刷実行時の日時を表す文字列をそのまま印刷時間情報としてもよい。ここでは、前述のように、印刷時間情報等の各種情報は、バーコード、ＱＲコード（Ｒ）等の表示コードとして印刷されるものとする。なお、制御部１１は、作成した印刷時間情報を記憶部１２に格納する。
【００４９】
続いて、ステップＳ１４で、画像形成装置１０は、ＵＶ印刷マーカを作成する。具体的には、制御部１１は、特殊画像品質判別マークとしてのＵＶ印刷マーカを作成して記憶部１２に格納する。前記ＵＶ印刷マーカは、ＵＶトナー画像に使用されたＵＶトナーの劣化の進行度合いを判断するために印刷物に対して付加する画像形成情報であり、ＵＶトナーを使用して印刷される。ここでは、媒体に形成されるＵＶトナー画像の内容に係わらず、一定の濃度（例えば、１００〔％〕）のＵＶトナーで、ＵＶ印刷マーカを作成するものとする。
【００５０】
なお、常に一定のＵＶ印刷マーカを使用するのであれば、制御部１１は、上位装置からの印刷データが入力される度にＵＶ印刷マーカを作成するのではなく、あらかじめＵＶ印刷マーカを作成して記憶部１２に格納しておき、上位装置からの印刷データが入力される度に記憶部１２から読み出して使用するようにしてもよい。
【００５１】
続いて、ステップＳ１５で、画像形成装置１０は、印刷データに、印刷時間情報とＵＶ印刷マーカとを付加する。具体的には、制御部１１は、上位装置からの印刷データのＵＶトナー画像を含む画像に、ステップＳ１３及びＳ１４で作成した印刷時間情報及びＵＶ印刷マーカを付加した画像のデータを作成する。
【００５２】
図４（ａ）にはＵＶトナー画像を含む画像の例が示され、図４（ｂ）には、図４（ａ）に示される画像の印刷時間情報及びＵＶ印刷マーカを付加した画像の例が示されている。なお、図４（ｂ）に示される例において、印刷時間情報及びＵＶ印刷マーカは、媒体の左下隅に小さなサイズで形成されているが、印刷時間情報及びＵＶ印刷マーカの位置及びサイズは、任意に決定することができ、例えば、図４（ａ）に示される画像の内容や用途に応じて、印刷時間情報及びＵＶ印刷マーカの位置及びサイズを変更することができる。また、ユーザが入力部１５及び出力部１６を操作して、印刷時間情報及びＵＶ印刷マーカの位置及びサイズを変更可能なようにしてもよい。
【００５３】
最後に、ステップＳ１６で、画像形成装置１０は、印刷を実行して処理を終了する。具体的には、制御部１１は、ステップＳ１５で作成した画像のデータを印刷部１３に送信して、該印刷部１３に印刷を行わせ、前記画像のデータを媒体に印刷させて処理を終了する。これにより、図４（ｂ）に示されるような画像が媒体に印刷される。
【００５４】
次に、フローチャートについて説明する。
ステップＳ１１  画像形成装置１０に印刷データが入力される。
ステップＳ１２  印刷を開始する。
ステップＳ１３  印刷時間情報を作成する。
ステップＳ１４  ＵＶ印刷マーカを作成する。
ステップＳ１５  印刷データに、印刷時間情報とＵＶ印刷マーカとを付加する。
ステップＳ１６  印刷を実行して処理を終了する。
【００５５】
次に、ステップＳ２及びＳ３における画像処理装置の動作について詳細に説明する。
【００５６】
図６は本発明の第１の実施の形態における確認用パッチの例を示す図、図７は本発明の第１の実施の形態におけるＵＶトナー画像を含む画像が印刷された媒体の例を示す図、図８は本発明の第１の実施の形態における有効／無効を判定する基準のデータテーブルの例を示す図、図９は本発明の第１の実施の形態における画像処理装置の動作を示す第２のフローチャートである。なお、図７において、（ａ）は印刷直後の媒体の例を示す図、（ｂ）は（ａ）に印刷してから期間が経過した媒体の例を示す図である。
【００５７】
まず、ステップＳ２１で、測定装置２０は、印刷時間情報を読み取る。具体的には、読取部２３は、ステップＳ１６で、画像形成装置１０が印刷を行った媒体の画像を読み取り、該画像に含まれる印刷時間情報を識別する。
【００５８】
続いて、ステップＳ２２で、測定装置２０は、印刷日時を取得する。具体的には、制御部２１は、読取部２３から印刷時間情報を取得し、該印刷時間情報を解読して、前記媒体に印刷が行われた日時、すなわち、ＵＶトナー印刷が行われた印刷日時を取得する。そして、制御部２１は取得した印刷日時を記憶部２２に格納する。例えば、印刷時間情報が印刷実行時の日時を表す文字列である場合、制御部２１は、ＯＣＲ処理を実行して印刷日時を取得し、また、印刷時間情報がバーコード、ＱＲコード（Ｒ）等の表示コードで表されている場合、制御部２１は、表示コードの解析処理を実行して印刷日時を取得する。
【００５９】
続いて、ステップＳ２３で、画像形成装置１０は、ＵＶ印刷の確認用パッチを作成する。具体的には、制御部１１は、特殊色材濃度変化指標としてＵＶトナー階調指標であるＵＶ印刷の確認用パッチを作成して記憶部１２に格納する。前記ＵＶ印刷の確認用パッチは、ＵＶトナーの濃度を階調毎に、例えば、図６に示されるように、１００、８０、６０、４０及び２０〔％〕に変化させたマークを並べたものであって、ユーザは、目視によって特殊画像品質判別マークとしてのＵＶ印刷マーカと比較することにより、該ＵＶ印刷マーカの劣化の進行度合いを判別することができる。
【００６０】
なお、常に一定のＵＶ印刷の確認用パッチを使用するのであれば、制御部１１は、あらかじめＵＶ印刷の確認用パッチを作成して記憶部１２に格納しておき、必要となる度に記憶部１２から読み出して使用するようにしてもよい。
【００６１】
続いて、ステップＳ２４で、画像形成装置１０は、ＵＶ印刷の確認用パッチを印刷する。具体的には、制御部１１は、ステップＳ２３で作成したＵＶ印刷の確認用パッチのデータを印刷部１３に送信して、該印刷部１３に印刷を行わせ、前記ＵＶ印刷の確認用パッチを媒体に印刷させる。
【００６２】
続いて、ステップＳ２５で、ユーザは、ＵＶ印刷マーカとＵＶ印刷の確認用パッチとを比較し、劣化度合いを判断する。具体的には、ユーザは、ステップＳ１６で、画像形成装置１０が印刷を行った媒体に印刷されたＵＶ印刷マーカと、ステップＳ２４で、画像形成装置１０が印刷を行ったＵＶ印刷の確認用パッチとに紫外線（ＵＶ光）を照射し、前記ＵＶ印刷マーカと確認用パッチとが発光する蛍光の発光量（光の強さ、明るさ）の度合いを目視によって比較し、前記ＵＶ印刷マーカの劣化度合いを判断する。
【００６３】
前記ＵＶ印刷マーカは、一定の濃度（例えば、１００〔％〕）のＵＶトナーで印刷されているので、印刷直後であれば、確認用パッチにおける同一の濃度（例えば、１００〔％〕）で印刷したマークの蛍光の発光量と一致する。これに対して、印刷から時間が経過して、感光によって印刷に使用されたＵＶトナーの劣化が進行すると、前記ＵＶ印刷マーカの蛍光の発光量が徐々に低下していくため、確認用パッチにおける同一の濃度で印刷したマークの蛍光の発光量とは一致しなくなる。しかし、確認用パッチにおける他の濃度で印刷したマークと比較して、同等の蛍光の発光量のマークを探し出すことによって、前記ＵＶ印刷マーカの現在の蛍光の発光量を、「印刷直後のＵＶトナー印刷の濃度にして何〔％〕相当」という形で具体的に判断することができる。
【００６４】
例えば、図６及び７に示される例に沿って説明すると、濃度１００〔％〕で作成したＵＶ印刷マーカを付加した印刷直後の媒体（図７（ａ））に対して、一定期間経過後の媒体（図７（ｂ））におけるＵＶ印刷マーカと、印刷された確認用パッチ（図６）とを目視によって、比較して確認する。その結果、一定期間経過後の媒体（図７（ｂ））におけるＵＶ印刷マーカの蛍光の発光量が、確認用パッチにおける６０〔％〕のマークの蛍光の発光量と同程度である、と確認することができた場合、印刷直後を１００〔％〕として現在では６０〔％〕程度にまで蛍光の発光量が低下している、というようにＵＶ印刷マーカの劣化度合いを判断することができる。
【００６５】
続いて、ステップＳ２６で、ユーザは、劣化度合いと印刷物の用途とを入力する。具体的には、ユーザは、入力部２５及び出力部２６を操作して、ステップＳ２５で判断したＵＶ印刷マーカの劣化度合い、及び、ＵＶトナー印刷が行われた媒体の用途を測定装置２０に入力する。
【００６６】
ＵＶトナー印刷が行われた媒体の用途は、該媒体が有効であるか無効であるかの判断基準となる蛍光の発光量、すなわち、基準発光量を決定するために必要なデータである。媒体の用途と基準発光量との関係は、例えば、図８に示されるデータテーブルのように、あらかじめ規定されている。そして、前記データテーブルの内容があらかじめ記憶部２２に格納されている場合、制御部２１は、前記データテーブルの内容を記憶部２２から読み出して出力部２６に表示させる。これにより、ユーザは、入力部２５を操作して、前記ＵＶトナー印刷が行われた媒体の用途を測定装置２０に入力することができる。なお、前記データテーブルの内容をあらかじめ媒体に印刷しておく場合には、ユーザは、印刷されたデータテーブルの内容を参照しながら入力部２５を操作して、前記ＵＶトナー印刷が行われた媒体の用途を測定装置２０に入力することができる。また、媒体の用途の入力に代えて、媒体の用途に対応した基準発光量を直接測定装置２０に入力するようにしてもよい。
【００６７】
続いて、ステップＳ２７で、測定装置２０は、有効／無効の判断結果を表示する。具体的には、制御部２１は、ステップＳ２６で入力されたＵＶ印刷マーカの劣化度合い、及び、ＵＶトナー印刷が行われた媒体の用途に基づいて、該媒体が有効であるか無効であるかを判断し、判断結果を出力部２６に表示させる。より具体的には、制御部２１は、ＵＶ印刷マーカの劣化度合いとしてのＵＶ印刷マーカの蛍光の発光量が、媒体の用途に対応する基準発光量よりも小さな値である場合には無効であると判断し、そうでない場合には有効であると判断する。ユーザは、出力部２６に表示された判断結果を確認することができる。
【００６８】
続いて、ステップＳ２８で、測定装置２０は、判断結果が有効であるか否かを判断する。具体的には、制御部２１は、ステップＳ２７で行った判断の結果が、媒体が有効である、という結果であるか否かを判断する。そして、有効でない場合、すなわち、媒体が無効である、という結果である場合、画像処理装置は処理を終了する。また、有効である場合にはステップＳ２９に移行する。
【００６９】
そして、ステップＳ２９で、測定装置２０は、印刷実行時からの経過時間を取得する。具体的には、制御部２１は、ステップＳ２２で取得したＵＶトナー印刷が行われた印刷日時と現在の日時との差から、ＵＶトナー印刷が行われた時点から現在までに経過した時間を取得する。
【００７０】
続いて、ステップＳ３０で、測定装置２０は、ＵＶトナー印刷の劣化速度を計算する。具体的には、制御部２１は、ステップＳ２６で入力されたＵＶ印刷マーカの劣化度合いと、ステップＳ２９で取得したＵＶトナー印刷が行われた時点から現在までに経過した時間とに基づいて、ＵＶトナーの劣化速度を計算する。
【００７１】
最後に、ステップＳ３１で、測定装置２０が残り有効時間を計算して表示すると、画像処理装置は処理を終了する。具体的には、制御部２１は、ステップＳ２６で入力されたＵＶトナー印刷が行われた媒体の用途と、ステップＳ３０で計算したＵＶトナーの劣化速度とに基づいて、媒体が無効と判断されるようになるまでの今後の予想される経過時間を計算し、計算結果を残り有効期間として出力部２６に表示させる。
【００７２】
例えば、ＵＶトナー印刷が行われた印刷日時が「２０１５／１／１／０：００：００」であり、現在の日時が「２０１５／９／１／１２：００：００」である場合、経過時間が「２４３日＋１２時間」であり、ＵＶ印刷マーカの劣化度合いが「６０〔％〕」であるときには、前記経過時間の間にＵＶトナーが４０〔％〕劣化したこととなるから、ＵＶトナーの劣化速度は「１〔％〕当たり６日＋２．１時間」と計算される。
【００７３】
ここで、ＵＶトナー印刷が行われた媒体の用途が「身分証明」であり、それに対応する基準発光量が「５０」であるとした場合、現在のＵＶ印刷マーカの劣化度合い６０〔％〕から、媒体が無効であると判断される５０〔％〕までの１０〔％〕分が低下するまでに要する経過時間は「６０日＋２１時間」と計算される。そして、制御部２１は、計算された経過時間「６０日＋２１時間」を残り有効期間として出力部２６に表示させるか、又は、現在の時間に残り有効期間を加算した結果である「２０１５／１１／１／９：００：００」を有効期限として出力部２６に表示させる。
【００７４】
次に、フローチャートについて説明する。
ステップＳ２１  測定装置２０は、印刷時間情報を読み取る。
ステップＳ２２  測定装置２０は、印刷日時を取得する。
ステップＳ２３  画像形成装置１０は、ＵＶ印刷の確認用パッチを作成する。
ステップＳ２４  画像形成装置１０は、ＵＶ印刷の確認用パッチを印刷する。
ステップＳ２５  ユーザは、ＵＶ印刷マーカとＵＶ印刷の確認用パッチとを比較し、劣化度合いを判断する。
ステップＳ２６  ユーザは、劣化度合いと印刷物の用途とを入力する。
ステップＳ２７  測定装置２０は、有効／無効の判断結果を表示する。
ステップＳ２８  測定装置２０は、判断結果が有効であるか否かを判断する。有効である場合はステップＳ２９に進み、有効でない場合は画像処理装置は処理を終了する。
ステップＳ２９  測定装置２０は、印刷実行時からの経過時間を取得する。
ステップＳ３０  測定装置２０は、ＵＶトナー印刷の劣化速度を計算する。
ステップＳ３１  測定装置２０は、残り有効時間を計算して表示し、画像処理装置は処理を終了する。
【００７５】
このように、本実施の形態においては、少なくとも一部にＵＶトナー画像を含む画像を媒体に印刷する場合、ＵＶトナー印刷が行われた印刷日時及びＵＶ印刷マーカを含む画像形成情報を前記媒体に付加するようになっている。したがって、印刷が行われた後に期間が経過しても、前記画像形成情報を確認することによって、ＵＶトナー印刷の劣化度合いを判断することができ、また、ＵＶトナー印刷の残り寿命を推定することができる。
【００７６】
次に、本発明の第２の実施の形態について説明する。なお、第１の実施の形態と同じ構成を有するものについては、同じ符号を付与することによって、その説明を省略する。また、前記第１の実施の形態と同じ動作及び同じ効果についても、その説明を省略する。
【００７７】
図１０は本発明の第２の実施の形態における画像形成装置の構成を示す模式側断面図、図１１は本発明の第２の実施の形態における画像形成装置の機能構成を示すブロック図である。
【００７８】
図において、３０は本実施の形態における画像処理装置の一部としての画像形成装置である。該画像形成装置３０は、前記第１の実施の形態における画像形成装置１０と同様に、媒体上に色材による画像を形成するための画像形成を実行する装置であれば、いかなる種類の装置であってもよいが、ここでは、電子写真式で媒体上に色材による画像を形成するプリンタであるものとして説明する。また、前記画像形成装置３０は、前記第１の実施の形態における測定装置２０の機能の少なくとも一部を併せ有するものである。
【００７９】
そして、画像形成装置３０内には、通常の色材であるＫ（ブラック）、Ｙ（イエロー）、Ｍ（マゼンタ）及びＣ（シアン）の４色のトナーを使用した通常画像の形成、すなわち、通常印刷を行う画像形成ユニット３９Ｋ、３９Ｙ、３９Ｍ及び３９Ｃと、特殊色材としての特殊トナーを使用した特殊画像の形成、すなわち、特殊印刷を行う画像形成ユニット３９Ｓとが媒体の搬送路に沿って、搬送方向（図１０における右から左に向く方向）に順次並ぶように配列されている。なお、画像形成ユニット３９Ｋ、３９Ｙ、３９Ｍ、３９Ｃ及び３９Ｓの構成は同一であり、現像剤として収納されているトナーの色が異なる。そして、画像形成ユニット３９Ｋ、３９Ｙ、３９Ｍ、３９Ｃ及び３９Ｓを統合的に説明する場合には、画像形成ユニット３９として説明する。また、各画像形成ユニット３９は、独立したユニットとして画像形成装置３０内に装着され、搬送路に沿って搬送される媒体上に画像を形成するようになっている。さらに、画像形成ユニット３９の搬送方向上流側には、撮像手段を備える表示コード読取センサ３８が配設されている。
【００８０】
また、図１１に示されるように、画像形成装置３０は、機能部として、制御部３１と、記憶部３２と、印刷部３３と、通信部３４と、操作部３５と、表示部３６と、特殊トナー印刷部３７とを有する。
【００８１】
前記制御部３１は、演算処理部としてのＣＰＵ等を含み、記憶部３２に格納された各種プログラムやデータに基づいて、画像形成装置３０の各部の動作を制御する。
【００８２】
前記記憶部３２は、例えば、ＲＡＭ、ＲＯＭ等のメモリやＨＤＤ等の磁気ディスクから成り、制御部３１が使用するプログラム、印刷部３３及び特殊トナー印刷部３７が印刷する印刷データ、画像データ等の各種情報を格納する。
【００８３】
前記印刷部３３は、前記画像形成ユニット３９Ｋ、３９Ｙ、３９Ｍ及び３９Ｃを含むものであって、媒体上に、通常の色材であるブラック、イエロー、マゼンタ、シアン等の各色のトナーを使用した通常画像の形成、すなわち、通常印刷を行う。
【００８４】
前記通信部３４は、電話回線、ＬＡＮ、イントラネット、インターネット等の図示されない通信回線網を介して、パーソナルコンピュータ、サーバ等の図示されない上位装置に接続されており、該上位装置から、印刷データ、画像データ等の入力データを受信する。
【００８５】
前記操作部３５は、テンキー等の各種スイッチやボタン、液晶タッチパネル等を含む操作パネル等を備え、ユーザが、画像形成に関する各種操作を入力する部分である。
【００８６】
前記表示部３６は、液晶表示パネル等の表示装置を備え、ユーザに対して、各種の情報を表示する。
【００８７】
前記特殊トナー印刷部３７は、印刷部３３の一部とも言えるものであって、画像形成ユニット３９Ｓを含み、特殊色材としての特殊トナーを使用した特殊画像の形成、すなわち、特殊印刷を行う。
【００８８】
また、前記特殊トナー印刷部３７は、印刷情報表示コード変換部３７ａと、読取部としての印刷情報表示コード読取部３７ｂと、有効性判定部としての再印刷判定部３７ｃと、特殊トナー画像データ取得部３７ｄとを備える。前記印刷情報表示コード変換部３７ａ、印刷情報表示コード読取部３７ｂ、再印刷判定部３７ｃ及び特殊トナー画像データ取得部３７ｄは、制御部３１の一部とも言える。
【００８９】
前記印刷情報表示コード変換部３７ａは、特殊画像の画像形成情報を作成する機能を有し、特殊印刷が行われる印刷日時、すなわち、印刷時間情報、印刷データの名称等の各種情報をバーコード、ＱＲコード（Ｒ）等の表示コードに変換して画像データに付加する機能を有する。
【００９０】
前記印刷情報表示コード読取部３７ｂは、表示コード読取センサ３８を含むものであり、媒体に印刷されたバーコード、ＱＲコード（Ｒ）等の表示コードを読み取って、印刷時間情報、印刷データの名称等の印刷情報としての各種情報を取得する機能を有する。
【００９１】
前記再印刷判定部３７ｃは、印刷情報表示コード読取部３７ｂが取得した各種情報に基づき、特殊印刷の再印刷が必要であるか否かを判断する機能を有する。
【００９２】
前記特殊トナー画像データ取得部３７ｄは、媒体上に印刷される画像の画像データから、特殊画像、すなわち、ＵＶトナー画像の画像データを取得する機能を有する。
【００９３】
なお、その他の点の構成については、前記第１の実施の形態と同様であるので、その説明を省略する。
【００９４】
次に、本実施の形態における画像処理装置の動作について説明する。まず、特殊画像を少なくとも一部に含む画像を最初に媒体に印刷する動作について説明する。
【００９５】
図１２は本発明の第２の実施の形態における画像処理装置が特殊画像を少なくとも一部に含む画像を印刷する動作を示すフローチャートである。
【００９６】
まず、ステップＳ４１で、画像形成装置３０は、特殊トナー印刷指示を受信する。具体的には、通信部３４が上位装置から、特殊画像、すなわち、ＵＶトナー画像を少なくとも一部に含む画像を媒体に印刷する旨の指示を受信する。該指示には、印刷する画像データ、印刷枚数、印刷する媒体のサイズ等の情報を含む印刷データが含まれている。
【００９７】
続いて、ステップＳ４２で、画像形成装置３０は、画像データを記憶する。具体的には、制御部３１は、ステップＳ４１で通信部３４が上位装置から受信した特殊トナー印刷指示に含まれる画像データを記憶部３２に格納する。
【００９８】
続いて、ステップＳ４３で、画像形成装置３０は、印刷情報表示コード変換を行う。具体的には、印刷情報表示コード変換部３７ａは、ＵＶトナー印刷が行われる印刷日時としての印刷時間情報、印刷された画像データの名称等の各種情報をバーコード、ＱＲコード（Ｒ）等の表示コードに変換して画像データに付加する。
【００９９】
最後に、ステップＳ４４で、画像形成装置３０は、印刷を行って、処理を終了する。具体的には、印刷部３３は、媒体に通常のトナーを使用した通常印刷を行い、特殊トナー印刷部３７は、前記媒体にＵＶトナーを使用したＵＶトナー印刷を行い、処理を終了する。なお、前記印刷部３３は、ステップＳ４３で印刷情報表示コード変換部３７ａが変換した表示コードの印刷も行う。
【０１００】
次に、フローチャートについて説明する。
ステップＳ４１  特殊トナー印刷指示を受信する。
ステップＳ４２  画像データを記憶する。
ステップＳ４３  印刷情報表示コード変換を行う。
ステップＳ４４  印刷を行って、処理を終了する。
【０１０１】
次に、特殊画像のみを再度媒体に形成する再印刷、すなわち、特殊印刷の再印刷を行う動作について説明する。
【０１０２】
図１３は本発明の第２の実施の形態における画像処理装置が特殊印刷の再印刷を行う動作を示すフローチャートである。
【０１０３】
まず、ステップＳ５１で、画像形成装置３０は、特殊トナー再印刷指示を受信する。具体的には、通信部３４が上位装置から、ＵＶトナー画像を媒体に印刷する旨の指示を受信する。
【０１０４】
続いて、ステップＳ５２で、画像形成装置３０は、表示コードがあるか否かを判断する。具体的には、既に印刷が行われた媒体が、ユーザによって画像形成装置３０にセットされて搬送されると、印刷情報表示コード読取部３７ｂは、表示コード読取センサー３８が読み取った前記媒体のイメージデータに特殊印刷が行われた印刷日時、印刷された画像データの名称等の各種情報を示す表示コードが含まれているか否かを判断する。そして、前記媒体のイメージデータに表示コードが含まれていない場合、すなわち、表示コードがない場合、画像形成装置３０は、処理を終了する。また、前記媒体のイメージデータに表示コードが含まれている場合、すなわち、表示コードがある場合には、ステップＳ５３に移行する。
【０１０５】
そして、ステップＳ５３で、画像形成装置３０は、印刷情報の読み込みを行う。具体的には、印刷情報表示コード読取部３７ｂは、前記表示コードに含まれる印刷情報としての各種情報の中から印刷日時及び画像データの名称を取得する。
【０１０６】
続いて、ステップＳ５４で、画像形成装置３０は、再印刷が必要であるか否かを判断する。具体的には、再印刷判定部３７ｃは、印刷情報表示コード読取部３７ｂが取得した印刷日時に基づき、特殊画像が有効であるか否か、すなわち、特殊印刷の再印刷が必要であるか否かを判断する。そして、特殊印刷の再印刷が必要でない場合、画像形成装置３０は、処理を終了する。また、特殊印刷の再印刷が必要である場合には、ステップＳ５５に移行する。
【０１０７】
そして、ステップＳ５５で、画像形成装置３０は、画像データの記憶があるか否かを判断する。具体的には、特殊トナー画像データ取得部３７ｄは、ステップＳ５３で印刷情報表示コード読取部３７ｂが取得した画像データの名称と同じ名称の画像データが記憶部３２に格納されているか否かを判断する。そして、画像データの記憶がある、すなわち、印刷情報表示コード読取部３７ｂが取得した画像データの名称と同じ名称の画像データが記憶部３２に格納されている場合には、ステップＳ５８に移行する。また、画像データの記憶がない、すなわち、印刷情報表示コード読取部３７ｂが取得した画像データの名称と同じ名称の画像データが記憶部３２に格納されていない場合には、ステップＳ５６に移行する。なお、印刷情報表示コード読取部３７ｂが取得した画像データの名称と同じ名称の画像データが記憶部３２に格納されていない旨のユーザに対する通知が、表示部３６によって表示される。
【０１０８】
すると、ステップＳ５６で、ユーザは、画像データを指定するか否かを判断する。具体的には、ユーザは、上位装置を操作して印刷情報表示コード読取部３７ｂが取得した画像データの名称と同じ名称の画像データを指定するか否かを判断する。そして、画像データを指定しない場合、画像形成装置３０は、処理を終了する。また、画像データを指定する場合には、ステップＳ５７に移行する。
【０１０９】
そして、ステップＳ５７で、画像形成装置３０は、画像データ指定指示を受信する。具体的には、通信部３４が上位装置から、画像データを指定する旨の指示を受信する。なお、該指示には、指定された画像データが含まれている。
【０１１０】
続いて、ステップＳ５８で、画像形成装置３０は、特殊トナー画像データを取得する。具体的には、特殊トナー画像データ取得部３７ｄは、記憶部３２に格納されている画像データであって、印刷情報表示コード読取部３７ｂが取得した画像データの名称と同じ名称の画像データの中から、又は、通信部３４が受信した指示に含まれている画像データの中から、特殊トナー画像、すなわち、ＵＶトナー印刷を行う画像のデータを取得する。
【０１１１】
最後に、ステップＳ５９で、画像形成装置３０は、特殊トナーのみ再印刷を行い、処理を終了する。具体的には、特殊トナー印刷部３７は、画像形成ユニット３９Ｓに特殊トナーとしてのＵＶトナーを使用して、ステップＳ５８で特殊トナー画像データ取得部３７ｄが取得した特殊トナー画像の印刷を行わせ、処理を終了する。
【０１１２】
次に、フローチャートについて説明する。
ステップＳ５１  画像形成装置３０は、特殊トナー再印刷指示を受信する。
ステップＳ５２  画像形成装置３０は、表示コードがあるか否かを判断する。表示コードがある場合はステップＳ５３に進み、表示コードがない場合は画像形成装置３０は処理を終了する。
ステップＳ５３  画像形成装置３０は、印刷情報の読み込みを行う。
ステップＳ５４  画像形成装置３０は、再印刷が必要であるか否かを判断する。特殊印刷の再印刷が必要である場合はステップＳ５５に進み、特殊印刷の再印刷が必要でない場合は画像形成装置３０は処理を終了する。
ステップＳ５５  画像形成装置３０は、画像データの記憶があるか否かを判断する。画像データの記憶がある場合はステップＳ５８に進み、画像データの記憶がない場合はステップＳ５６に進む。
ステップＳ５６  ユーザは、画像データを指定するか否かを判断する。画像データを指定する場合はステップＳ５７に進み、画像データを指定しない場合は画像形成装置３０は処理を終了する。
ステップＳ５７  画像形成装置３０は、画像データ指定指示を受信する。
ステップＳ５８  画像形成装置３０は、特殊トナー画像データを取得する。
ステップＳ５９  画像形成装置３０は、特殊トナーのみ再印刷を行い、処理を終了する。
【０１１３】
なお、その他の点の動作については、前記第１の実施の形態と同様であるので、その説明を省略する。
【０１１４】
このように、本実施の形態においては、少なくとも一部にＵＶトナー画像を含む画像を媒体に印刷する場合、ＵＶトナー印刷が行われた印刷日時を含む画像形成情報を表示コードに変換して前記媒体に付加するとともに、前記表示コードの読み込みを行って取得した印刷日時に基づいて、ＵＶトナー印刷を再度行うか否かを判断するようになっている。したがって、劣化速度の速いＵＶトナー印刷のみの再印刷を行うことができる。
【０１１５】
なお、本発明は前記実施の形態に限定されるものではなく、本発明の趣旨に基づいて種々変形させることが可能であり、それらを本発明の範囲から排除するものではない。
【産業上の利用可能性】
【０１１６】
本発明は、画像処理装置及び画像処理方法に利用することができる。
【符号の説明】
【０１１７】
１０、３０    画像形成装置
１１、２１、３１    制御部
１３、３３    印刷部
２０    測定装置
２３    読取部
３７    特殊トナー印刷部
３７ａ    印刷情報表示コード変換部
３７ｂ    印刷情報表示コード読取部
３７ｃ    再印刷判定部
【図１】
2017134215.tif 000003
【図２】
2017134215.tif 000004
【図３】
2017134215.tif 000005
【図４】
2017134215.tif 000006
【図５】
2017134215.tif 000007
【図６】
2017134215.tif 000008
【図７】
2017134215.tif 000009
【図８】
2017134215.tif 000010
【図９】
2017134215.tif 000011
【図１０】
2017134215.tif 000012
【図１１】
2017134215.tif 000013
【図１２】
2017134215.tif 000014
【図１３】
2017134215.tif 000015